(57)【要約】      （修正有）【課題】衣服用ベルトの自由端の抜け落ちを防止するのに十分な剛性を有し、しかも衣服用ベルトの損傷を防止できるバックルを提供する。【解決手段】衣服用ベルト２の固定端２ａを金属製の天板３の端部に固定するベルト固定具４、および、衣服用ベルトの自由端２ｂを天板の他方の端部からベルト固定具の方向へ誘導する金属製のベルトガイド具５、および、ベルト固定具とベルトガイド具との中間に配設されて衣服用ベルトを天板に押し付ける金属製のベルト押圧具６、および、ベルト押圧具を回動可能に保持する金属製の押圧支持具７、を有するとともに、ベルト押圧具の押圧部を天然ゴムで被覆してなる衣服用ベルトのバックル。【選択図】図１
0003205477.tif 000002
【実用新案登録請求の範囲】
【請求項１】
使用者の腰部に衣服を保持するための衣服用ベルトに穴を開けずに使用するバックルであって、前記衣服用ベルトの固定端を金属製の天板の端部に固定するベルト固定具、および、前記衣服用ベルトの自由端を前記天板の他方の端部から前記ベルト固定具の方向へ誘導する金属製のベルトガイド具、および、前記ベルト固定具と前記ベルトガイド具との中間に配設されて前記衣服用ベルトを前記天板に押し付ける金属製のベルト押圧具、および、該ベルト押圧具を回動可能に保持する金属製の押圧支持具、を有するとともに、前記ベルト押圧具の押圧部を天然ゴムで被覆してなることを特徴とする衣服用ベルトのバックル。
【請求項２】
前記天板および前記ベルトガイド具および前記押圧支持具が、一体的に成形された亜鉛ダイキャスト製の単一の部材であることを特徴とする請求項１に記載の衣服用ベルトのバックル。
【請求項３】
前記ベルト押圧具を押圧姿勢に復元させるための復元バネを、前記押圧支持具に配設される回動軸に装着してなることを特徴とする請求項１または２に記載の衣服用ベルトのバックル。
【考案の詳細な説明】
【技術分野】
【０００１】
本考案は、使用者の腰部に衣服を保持するための衣服用ベルトに穴を開けずに使用するバックル（いわゆる徳尾錠）に関するものであり、詳しくは、衣服用ベルトに損傷（たとえば疵、窪み、折れ曲がり等）を発生させずに使用できるバックルに関するものである。
【背景技術】
【０００２】
衣服（たとえばズボン等）に装着して使用者の腰部にその衣服を保持するために使用する衣服用ベルトのバックルは、
(a)衣服用ベルトに設けた穴に針状の留め金を通して使用するバックル
と、
(b)衣服用ベルトに穴を開けずに使用するバックル（特許文献１参照）
に大別される。上記(b)のバックルは一般に徳尾錠と呼ばれるものであり、その徳尾錠を使用する場合は、衣服用ベルトに穴を設ける必要はなく、したがって、バックルに針状の留め金を取り付ける必要はない。
以下の記載にてバックルは、上記(b)の態様のバックル（いわゆる徳尾錠）を指すものとする。
【０００３】
上記(b)の態様のバックルは、衣服用ベルトの片方の端部（以下、固定端という）をバックルから脱落しないように予め固定しておき、衣服用ベルトの他方の端部（以下、自由端という）をバックル内に挿入して、板状の部材（以下、天板という）と、その天板に衣服用ベルトを押し付ける部材（以下、ベルト押圧具という）との間で、衣服用ベルトを挟持することによって、使用者の腰部に衣服用ベルトを保持し、ひいては衣服を腰部に保持するものである。
【０００４】
したがって、ベルト押圧具に十分な剛性を持たせて、衣服用ベルトの自由端がバックルから抜け落ちるのを防止する必要がある。そこで金属製のベルト押圧具を採用して剛性を付与し、さらに、衣服用ベルトを押圧する部位（以下、押圧部という）に線状の突起あるいは点状の突起を多数設けて、その突起を衣服用ベルトの自由端の内側表面に食い込ませることによって、衣服用ベルトの自由端が抜け落ちるのを防止するバックルが、従来から広く普及している。
【０００５】
しかし、ベルト押圧具の押圧部に設けた突起を食い込ませることによって、衣服用ベルトに疵、窪み、折れ曲がり等の損傷が生じる。そして、衣服用ベルトを繰り返し使用すれば、押圧部の突起が衣服用ベルトの同じ位置に繰り返し食い込むので、衣服用ベルトの自由端の損傷が次第に進行増大していき、衣服用ベルトの亀裂や破断を引き起こす惧れがある。
そこで、衣服用ベルトの損傷を防止できるバックルが求められているが、未だ実用化されていない。
【先行技術文献】
【特許文献】
【０００６】
【特許文献１】登録実用新案第25356号公報
【考案の概要】
【考案が解決しようとする課題】
【０００７】
本考案は、従来の技術の問題点を解消し、衣服用ベルトの自由端の抜け落ちを防止するのに十分な剛性を有し、しかも衣服用ベルトの損傷を防止できるバックルを提供することを目的とする。
【課題を解決するための手段】
【０００８】
本考案者は、バックルを構成するベルト押圧具の押圧部が衣服用ベルトに損傷を与えるのを防止するための材料として、天然ゴムに着目した。そして、天然ゴムの効果を調査する実験の準備として、押圧部が天然ゴムのみからなるベルト押圧具をバックルに取り付けて、そのバックルに衣服用ベルトの固定端を固定した。次いで、その衣服用ベルトを衣服に装着して使用者の腰部に保持する実験を繰り返し行なった。その実験の後で衣服用ベルトを目視で検査したところ、衣服用ベルトの損傷は皆無であった。しかし、衣服用ベルトを衣服に装着して腰部に保持した状態で使用者が身体を動かすと、その動きの大きさや速さによって、衣服用ベルトの自由端がバックルから抜け落ちる場合があった。つまり、天然ゴムのみからなる押圧部は、剛性が不足することが分かった。
【０００９】
そこで、金属製の押圧部を備えたベルト押圧具を作製し、その金属製の押圧部を天然ゴムで被覆して、バックルに取り付けた。そのバックルを用いて上記と同様の実験を行なったところ、使用者が様々に身体を動かしても、衣服用ベルトの自由端がバックルから抜け落ちるのを防止できた。
【００１０】
本考案は、このような知見に基づいてなされたものである。
すなわち本考案は、使用者の腰部に衣服を保持するための衣服用ベルトに穴を開けずに使用するバックルであって、衣服用ベルトの固定端を金属製の天板の端部に固定するベルト固定具、および、衣服用ベルトの自由端を天板の他方の端部からベルト固定具の方向へ誘導する金属製のベルトガイド具、および、ベルト固定具とベルトガイド具との中間に配設されて衣服用ベルトを天板に押し付ける金属製のベルト押圧具、および、ベルト押圧具を回動可能に保持する金属製の押圧支持具、を有するとともに、ベルト押圧具の押圧部を天然ゴムで被覆してなる衣服用ベルトのバックルである。
【００１１】
本考案のバックルにおいては、天板およびベルトガイド具および押圧支持具が、一体的に成形された亜鉛ダイキャスト製の単一の部材であることが好ましい。また、ベルト押圧具を押圧姿勢に復元させるための復元バネを、押圧支持具に配設される回動軸に装着することが好ましい。
【考案の効果】
【００１２】
本考案によれば、衣服用ベルトの自由端の抜け落ちを防止するのに十分な剛性を有し、しかも衣服用ベルトの損傷を防止できるバックルを得ることができ、産業上格段の効果を奏する。
【図面の簡単な説明】
【００１３】
【図１】本考案のバックルの例を模式的に示す側面図である。
【図２】図１中のベルト押圧具の例を模式的に示す側面図である。
【考案を実施するための形態】
【００１４】
図１は、本考案のバックルの例を模式的に示す側面図である。本考案のバックル１は、金属製の天板３の片方の端部にベルト固定具４を有し、そのベルト固定具４を介して衣服用ベルト２の固定端2aを固定する。ベルト固定具４は、衣服用ベルト２の固定端2aを天板３に固定するためのものであり、必ずしも金属製である必要はない。天板３の他方の端部には、衣服用ベルト２の自由端2bをバックル１の内部へ誘導するための金属製のベルトガイド具５を設ける。
【００１５】
ベルト固定具４とベルトガイド具５との中間には、衣服用ベルト２を天板３に押し付けるための金属製のベルト押圧具６と、そのベルト押圧具６を回動可能に保持する金属製の押圧支持具７を設ける。ベルト押圧具６は金属製の回動軸８を中心として回動するものであり、その回動軸８を金属製の押圧支持具７が支持する。ベルト押圧具６は、図２に示すように、操作部6aと押圧部6bからなり、押圧部6bは天然ゴム９で被覆される。なお、ここで使用する天然ゴム９は、天然ゴムが100％のものを指す。
【００１６】
このような構成を有するバックル１に衣服用ベルト２の固定端2aを予め固定しておき、衣服用ベルト２を衣服に装着して使用者の腰部に保持する際には、使用者がベルト押圧具６の操作部6aを手指で操作して、ベルト押圧具６を開放姿勢（図１中の鎖線）に保ちながら、衣服用ベルト２の自由端2bをベルトガイド具５から押圧支持具７へ挿入する。その後、使用者がベルト押圧具６の操作部6aを手指で操作して、ベルト押圧具６を押圧姿勢（図１中の実線）に復元させる。その結果、ベルト押圧具６の押圧部6bが衣服用ベルト２を天板３に押し付ける。
【００１７】
なお、ベルト押圧具６を開放姿勢から押圧姿勢に復元させるためのバネ（以下、復元バネという）を回動軸８に装着することによって、復元バネの弾力を活用して、使用者が手指で操作することなく、ベルト押圧具６を開放姿勢から押圧姿勢に復元させることが可能となる。ただし復元バネを回動軸８に装着しても、ベルト押圧具６を押圧姿勢から開放姿勢に移行させる時には、使用者が手指で操作部6aを操作して、ベルト押圧具６を回動させる必要がある。
【００１８】
金属製のベルト押圧具６の押圧部6bが衣服用ベルト２を天板３に押し付けることによって、衣服用ベルト２の反発力が生じるが、金属製の押圧部6bは衣服用ベルト２の反発力に十分に対抗し得る剛性を備えている。しかも、金属製の押圧部6bは衣服用ベルト２に接触せず、押圧部6bを被覆する天然ゴム９が衣服用ベルト２に接触するので、衣服用ベルト２の損傷は発生しない。
【００１９】
このようにして、本考案のバックル１は、衣服用ベルト２の自由端2bがバックル１から抜け落ちるのを確実に防止できる。
バックル１を使用する際の強度や耐久性、製造する際の加工性やコスト等の要素をバランス良く兼ね備えたバックル１を得るために、金属製の天板３およびベルトガイド具５および押圧支持具７は、一体的に成形された亜鉛ダイキャスト製の単一の部材として作製することが好ましい。ベルト押圧具６ならびに回動軸８は夫々単体で個別に作製してバックル１を組み立てるが、それらも亜鉛ダイキャスト製の部材として作製することが好ましい。また、美麗な外観を得るために、表面に装飾のための加工（たとえばメッキ等）を施すことが好ましい。
【００２０】
ベルト押圧具６の押圧部6bを被覆する天然ゴム９は、同様に強度、耐久性、加工性、コスト等を良好なバランスで兼ね備えているので、本考案では使用するのに好適な材料である。
【実施例】
【００２１】
亜鉛ダイキャスト製のベルト押圧具６の押圧部6bを天然ゴム９で被覆（図２参照）して、そのベルト押圧具６を復元バネとともにバックル１に取り付けた（図１参照）。バックル１を構成する天板３、ベルトガイド具５、押圧支持具7は亜鉛ダイキャスト製の単一の部材として作製した。
【００２２】
そのバックル１を用いて衣服用ベルト２を腰部に保持した状態で、使用者が様々に身体を動かしても、衣服用ベルト２の自由端2bの抜け落ちは発生しなかった。そして、使用者がベルト押圧具６の操作部6aを手指で操作して開放姿勢を保ちながら、衣服用ベルト２の自由端2bを抜き出して目視で検査したところ、衣服用ベルト２の損傷は認められなかった。
【符号の説明】
【００２３】
１  バックル
２  衣服用ベルト
2a  固定端
2b  自由端
３  天板
４  ベルト固定具
５  ベルトガイド具
６  ベルト押圧具
6a  操作部
6b  押圧部
７  押圧支持具
８  回動軸
９  天然ゴム
【図１】
0003205477.tif 000003
【図２】
0003205477.tif 000004